(57)【要約】【課題】使い勝手が良く且つデザイン性の向上が可能な発光装置を提供する。【解決手段】発光装置１は、発光部２と太陽光発電部３とが互いの背面同士が対向するように配置された光電変換部Ａ１と、蓄電池４と、発光部２と太陽光発電部３との間に配置された傾斜スイッチ５を備えている。傾斜スイッチ５は、発光部２と太陽光発電部３との間に配置され光電変換部Ａ１の姿勢を検知する姿勢検知部と、発光部２と太陽光発電部３との間に配置され蓄電池４を発光部２と太陽光発電部３との一方に択一的に接続させる接続切替部とを備えている。発光装置１は、姿勢検知部により光電変換部Ａ１において太陽光発電部３側が表側となる姿勢が検知された場合には接続切替部により蓄電池４が太陽光発電部３に接続され、姿勢検知部により光電変換部Ａ１において発光部２側が表側となる姿勢が検知された場合には接続切替部により蓄電池４が発光部２に接続される。【選択図】図１
2013115356.tif 000002
【特許請求の範囲】
【請求項１】
面状の発光部と面状の太陽光発電部とからなり前記発光部と前記太陽光発電部との互いの背面同士が対向するように配置された光電変換部と、蓄電池と、前記光電変換部の姿勢を検知する姿勢検知部と、前記発光部と前記太陽光発電部との間に配置され前記蓄電池を前記発光部と前記太陽光発電部との一方に択一的に接続させる接続切替部とを備え、前記姿勢検知部により前記光電変換部において前記太陽光発電部側が表側となる姿勢が検知された場合には前記接続切替部により前記蓄電池が前記太陽光発電部に接続され、前記姿勢検知部により前記光電変換部において前記発光部側が表側となる姿勢が検知された場合には前記接続切替部により前記蓄電池が前記発光部に接続されることを特徴とする発光装置。
【請求項２】
前記姿勢検知部と前記接続切替部とが、１つの傾斜スイッチにより構成されてなることを特徴とする請求項１記載の発光装置。
【請求項３】
前記蓄電池は、前記発光部と前記太陽光発電部との間に配置されてなることを特徴とする請求項１または請求項２記載の発光装置。
【請求項４】
前記発光部は、有機エレクトロルミネッセンスパネルからなることを特徴とする請求項１ないし請求項３のいずれか１項に記載の発光装置。
【発明の詳細な説明】
【技術分野】
【０００１】
本発明は、発光装置に関するものである。
【背景技術】
【０００２】
太陽光発電部を備えた発光装置としては、例えば、図１６〜図１８に示す構成の携帯式の照明装置が知られている（特許文献１）。
【０００３】
この照明装置は、外装ケース１０１と、この外装ケース１０１に内蔵している充電できる電池１０４と、この電池１０４を充電する太陽電池（太陽光発電部）１０２と、電池１０４で点灯されるパネル光源１０３とを備えている。
【０００４】
ここで、照明装置は、外装ケース１０１の第１の表面１１１側に太陽電池１０２を、第２の表面１１２側にパネル光源１０３をそれぞれ配置してある。よって、照明装置は、太陽電池１０２とパネル光源１０３とが互いに対向する姿勢として配置されている。また、照明装置は、外装ケース１０１の外周部で、太陽電池１０２とパネル光源１０３の外側に電池１０４が内蔵されている。外装ケース１０１は、第１ケース１０１Ａと第２ケース１０１Ｂとからなる。なお、第１ケース１０１Ａと第２ケース１０１Ｂとは、ねじ１２０により固定されている。
【０００５】
パネル光源１０３は、複数の白色の発光ダイオード１３０Ａからなる点光源１３０と、これら点光源１３０の光を反射する反射板１３１と、この反射板１３１の表面に配設している光の拡散板１３２とを備えている。拡散板１３２は、第１の拡散板１３２Ａと第２の拡散板１３２Ｂとを積層してある。
【０００６】
したがって、反射板１３１と拡散板１３２との間に複数の発光ダイオード１３０Ａからなる点光源１３０を配置してあるパネル光源１０３は、点光源１３０の光を均一に拡散して外部に放射できる。
【０００７】
また、この照明装置は、グリップ１０５の一端部にビーム光源１０６を、他端部にライトスイッチ１４１を設けてある。また、この照明装置は、制御回路（図示せず）を備えている。制御回路には、押しボタンスイッチからなるライトスイッチ１４１、太陽電池１０２、外部入力コネクタ（図示せず）、ＵＳＢコネクタ（図示せず）、ＵＳＢスイッチ１４４などが接続されている。外部入力コネクタは、ＡＣアダプタ（図示せず）を接続して、電池１０４を充電する電力を供給する。照明装置は、ＵＳＢスイッチ１４４が押されると、電池１０４の電力を制御回路で所定の電圧に変換してＵＳＢコネクタから出力する。
【０００８】
制御回路は、押しボタンスイッチであるライトスイッチ１４１から入力されるオン信号でパネル光源１０３とビーム光源１０６の点灯状態を変更する。制御回路は、例えば、ライトスイッチ１４１が一回押される毎に、「ビーム光源１０６を点灯」→「ビーム光源１０６を消灯してパネル光源１０３の９個の発光ダイオード１３０Ａを点灯」→「パネル光源１０３の５個の発光ダイオード１３０Ａを点灯」→「パネル光源１０３の１個の発光ダイオード１３０Ａを点灯」→「パネル光源１０３を消灯」の順で、パネル光源１０３とビーム光源１０６の点灯状態を切り換える。
【０００９】
また、照明装置は、ビーム光源１０６又はパネル光源１０３が点灯している状態で、ライトスイッチ１４１が長押しされると、点灯しているビーム光源１０６又はパネル光源１０３を消灯する。
【先行技術文献】
【特許文献】
【００１０】
【特許文献１】特開２０１０−５５７８９号公報
【発明の概要】
【発明が解決しようとする課題】
【００１１】
上述の照明装置では、電池１０４の電力でパネル光源１０３が点灯している状態と太陽電池１０２により電池１０４を充電している状態とを切り換えるためには、ユーザが、押しボタンスイッチからなるライトスイッチ１４１を操作する必要があり、使い勝手が良くなかった。
【００１２】
また、上述の照明装置では、ライトスイッチ１４１を露出させる必要があり、デザイン性が損なわれてしまう懸念があった。
【００１３】
本発明は上記事由に鑑みて為されたものであり、その目的は、使い勝手が良く且つデザイン性の向上が可能な発光装置を提供することにある。
【課題を解決するための手段】
【００１４】
本発明の発光装置は、面状の発光部と面状の太陽光発電部とからなり前記発光部と前記太陽光発電部との互いの背面同士が対向するように配置された光電変換部と、蓄電池と、前記光電変換部の姿勢を検知する姿勢検知部と、前記発光部と前記太陽光発電部との間に配置され前記蓄電池を前記発光部と前記太陽光発電部との一方に択一的に接続させる接続切替部とを備え、前記姿勢検知部により前記光電変換部において前記太陽光発電部側が表側となる姿勢が検知された場合には前記接続切替部により前記蓄電池が前記太陽光発電部に接続され、前記姿勢検知部により前記光電変換部において前記発光部側が表側となる姿勢が検知された場合には前記接続切替部により前記蓄電池が前記発光部に接続されることを特徴とする。
【００１５】
この発光装置において、前記姿勢検知部と前記接続切替部とが、１つの傾斜スイッチにより構成されてなることが好ましい。
【００１６】
この発光装置において、前記蓄電池は、前記発光部と前記太陽光発電部との間に配置されてなることが好ましい。
【００１７】
この発光装置において、前記発光部は、有機エレクトロルミネッセンスパネルからなることが好ましい。
【発明の効果】
【００１８】
本発明の発光装置においては、使い勝手が良く且つデザイン性の向上が可能となる。
【図面の簡単な説明】
【００１９】
【図１】実施形態１の発光装置の概略断面図である。
【図２】同上の発光装置において発光部を表側とした概略斜視図である。
【図３】同上の発光装置において太陽光発電部を表側とした概略斜視図である。
【図４】同上の発光装置の概略分解斜視図である
【図５】同条の発光装置における有機エレクトロルミネッセンスパネルの概略平面図である。
【図６】同上の発光装置の動作説明図である。
【図７】実施形態２の発光装置の概略断面図である。
【図８】同上の発光装置において発光部を表側とした概略斜視図である。
【図９】同上の発光装置の概略分解斜視図である。
【図１０】同上の発光装置の要部側面図である。
【図１１】同上の発光装置の動作説明図である。
【図１２】実施形態３の発光装置の概略断面図である。
【図１３】同上の発光装置の動作説明図である。
【図１４】実施形態４の発光装置の概略断面図である。
【図１５】同上の発光装置の動作説明図である。
【図１６】従来例の携帯式の照明装置の斜視図である。
【図１７】図１６に示す携帯式の照明装置の背面斜視図である。
【図１８】図１６に示す携帯式の照明装置のＡ−Ａ線断面図である。
【発明を実施するための形態】
【００２０】
（実施形態１）
以下では、本実施形態の発光装置について図１〜図６に基づいて説明する。
【００２１】
発光装置１は、面状の発光部２と面状の太陽光発電部３とからなる光電変換部Ａ１と、蓄電池４とを備えている。光電変換部Ａ１は、発光部２と太陽光発電部３とが、発光部２と太陽光発電部３との互いの背面同士が対向するように配置されている。
【００２２】
また、発光装置１は、傾斜スイッチ５を備えている。ここで、傾斜スイッチ５は、発光部２と太陽光発電部３との間に配置されている。本実施形態の発光装置１では、傾斜スイッチ５が、光電変換部Ａ１の姿勢を検知する姿勢検知部５１（図６参照）と、発光部２と太陽光発電部３との間に配置され蓄電池４を発光部２と太陽光発電部３との一方に択一的に接続させる接続切替部５２（図６参照）とを備えている。接続切替部５２は、ｃ接点構成の接点装置により構成してあるが、特に限定するものではない。
【００２３】
発光装置１は、姿勢検知部５１により光電変換部Ａ１において太陽光発電部３側が表側となる姿勢が検知された場合には接続切替部５２により蓄電池４が太陽光発電部３に接続され（図６（ｂ）参照）、姿勢検知部５１により光電変換部Ａ１において発光部２側が表側となる姿勢が検知された場合には接続切替部５２により蓄電池４が発光部２に接続される（図６（ａ）参照）。ここにおいて、発光装置１は、蓄電池４が太陽光発電部３に接続された状態では、蓄電池４が、太陽光発電部３により充電される。また、発光装置１は、蓄電池４が発光部２に接続された状態では、発光部２が蓄電池４から供給される電力により発光する。要するに、発光装置１は、光電変換部Ａ１の姿勢を検知して太陽光発電部３から蓄電池４への充電経路と蓄電池４から発光部２への給電経路とを択一的に切替可能な傾斜スイッチ５を備えている。
【００２４】
発光装置１は、蓄電池４が、発光部２と太陽光発電部３との間に配置されていることが好ましい。これにより、発光装置１は、蓄電池４が、光電変換部Ａ１の側方に配置されている場合に比べて、発光部２および太陽光発電部３それぞれの占有面積の増大を図れるとともに、デザイン性の向上を図れる。
【００２５】
発光部２は、平面視形状を矩形状としてある。発光部２は、有機エレクトロルミネッセンスパネル（以下、有機ＥＬパネルと称する）２０により構成してある。
【００２６】
太陽光発電部３は、平面視形状を矩形状としてある。太陽光発電部３は、太陽電池パネル３０により構成してある。
【００２７】
また、発光装置１は、発光部２と太陽光発電部３との間に配置され発光部２の光出力を制御する発光制御部２９と、発光部２と太陽光発電部３との間に配置され太陽光発電部３で発生した電力により蓄電池４を充電する充電制御部３９とを備えている。
【００２８】
発光装置１は、発光部２、太陽光発電部３、蓄電池４、傾斜スイッチ５、発光制御部２９、充電制御部３９および回路基板７などを収納する外装ケース８を備えている。
【００２９】
以下、発光装置１の各構成要素について詳細に説明する。
【００３０】
発光部２を構成する有機ＥＬパネル２０としては、例えば、図５に示す構成のものを用いることができる。この有機ＥＬパネル２０は、基板２１の一表面側に有機エレクトロルミネッセンス素子（以下、有機ＥＬ素子と称する）２２を有する素子基板２３と、基板２１の上記一表面側に対向配置され枠状の接合部２４を介して素子基板２３に接合された封止部材（カバー基板）２５とを備えている。有機ＥＬ素子２２は、基板２１の上記一表面側に設けられた第１電極と、基板２１の上記一表面側で第１電極に対向した第２電極と、第１電極と第２電極との間にあり少なくとも発光層を含む機能層とを備える。
【００３１】
有機ＥＬパネル２０は、基板２１の他表面を光出射面（発光面）として用いるものである。ここにおいて、基板２１としては、ガラス基板を用いている。ガラス基板としては、例えば、ソーダライムガラス基板、無アルカリガラス基板などを用いることができる。
【００３２】
基板は、ガラス基板に限らず、例えば、プラスチック基板を用いてもよい。また、プラスチック基板としては、例えば、ポリエチレンテレフタラート（ＰＥＴ）基板、ポリエチレンナフタレート（ＰＥＮ）基板、ポリエーテルサルフォン（ＰＥＳ）基板、ポリカーボネート（ＰＣ）基板などを用いてもよい。プラスチック基板を用いる場合は、プラスチック基板の表面にＳｉＯＮ膜、ＳｉＮ膜などを成膜して水分の透過を抑えるようにしてもよい。
【００３３】
第１電極は、透明導電性酸化物（Transparent ConductingOxide：ＴＣＯ）により形成されていることが好ましい。透明導電性酸化物としては、例えば、ＩＴＯ、ＡＺＯ、ＧＺＯ、ＩＺＯなどがある。また、第２電極は、金属により形成されていることが好ましい。
【００３４】
有機ＥＬ素子２２は、第１電極が陽極を構成し、第２電極が陰極を構成しているが、第１電極が陰極を構成し、第２電極が陽極を構成してもよい。機能層は、少なくとも発光層を備えていればよく、ホール注入層、ホール輸送層、電子輸送層および電子注入層などを適宜設けてもよい。また、機能層の積層構造は、特に限定するものではない。
【００３５】
また、有機ＥＬパネル２０は、有機ＥＬ素子２２の第１電極に電気的に接続された第１端子部Ｔ１と、有機ＥＬ素子２２の第２電極に電気的に接続された第２端子部Ｔ２とを備えている。第１端子部Ｔ１および第２端子部Ｔ２は、基板２１の上記一表面側で有機ＥＬ素子２２の側方に配置されている。
【００３６】
また、有機ＥＬ素子２２は、第１電極よりも比抵抗の小さな材料により形成され第１電極に電気的に接続された補助電極２６を備えていることが好ましい。補助電極２６は、例えば、第１電極における基板１側とは反対側の表面の周部に沿って形成することができる。
【００３７】
有機ＥＬパネル２０は、矩形状の有機ＥＬ素子２２の所定の平行な２辺の各々に沿ってｍ個（図５の例では、ｍ＝２）の第２端子部Ｔ２と〔ｍ＋１〕個（図５の例では、３個）の第１端子部Ｔ１とが、第２端子部Ｔ２の幅方向の両側に第１端子部Ｔ１が位置するように配置されている。したがって、図５に示した例では、基板２１の長手方向の両端部の各々に、第１端子部Ｔ１と第２端子部Ｔ２とを備えている。具体的には、有機ＥＬパネル２０は、基板２１の長手方向の両端部の各々において、３つの第１端子部Ｔ１が基板２１の短手方向に離間して配置されており、基板２１の短手方向において隣り合う第１端子部Ｔ１間に第２端子部Ｔ２が配置されている。本実施形態では、基板２１の上記一表面において長手方向を規定方向としており、素子基板２３は、基板２１の上記一表面において規定方向の両端部の各々に第１端子部Ｔ１および第２端子部Ｔ２が配置されている。
【００３８】
ここで、第１端子部Ｔ１および第２端子部Ｔ２の各々は、透明導電性酸化物層と金属層との積層構造を有している。
【００３９】
金属層の材料は、例えば、アルミニウム、銀、金、銅、クロム、モリブデン、アルミニウム、パラジウム、スズ、鉛、マグネシウムなどの金属や、これら金属の少なくとも１種を含む合金などが好ましい。また、金属層は、単層構造に限らず、多層構造を採用してもよい。例えば、金属層は、ＭｏＮｂ層／ＡｌＮｄ層／ＭｏＮｂ層の３層構造を採用することができる。この３層構造において、下層のＭｏＮｂ層は、下地との密着層として設け、上層のＭｏＮｂ層は、ＡｌＮｄ層の保護層として設けることが好ましい。
【００４０】
また、補助電極２６の材料としては、例えば、アルミニウム、銀、金、銅、クロム、モリブデン、アルミニウム、パラジウム、スズ、鉛、マグネシウムなどの金属や、これら金属の少なくとも１種を含む合金などが好ましい。また、補助電極２６は、単層構造に限らず、多層構造を採用してもよい。例えば、補助電極２６は、ＭｏＮｂ層／ＡｌＮｄ層／ＭｏＮｂ層の３層構造を採用することができる。この３層構造において、下層のＭｏＮｂ層は、下地との密着層として設け、上層のＭｏＮｂ層は、ＡｌＮｄ層の保護層として設けることが好ましい。
【００４１】
また、封止部材２５としては、ガラス基板を用いているが、これに限らず、例えば、プラスチック基板を用いてもよい。ガラス基板としては、例えば、ソーダライムガラス基板、無アルカリガラス基板などを用いることができる。また、プラスチック基板としては、例えば、ポリエチレンテレフタラート（ＰＥＴ）基板、ポリエチレンナフタレート（ＰＥＮ）基板、ポリエーテルサルフォン（ＰＥＳ）基板、ポリカーボネート（ＰＣ）基板などを用いてもよい。プラスチック基板を用いる場合は、プラスチック基板の表面にＳｉＯＮ膜、ＳｉＮ膜などを成膜して水分の透過を抑えるようにしてもよい。封止部材２５の材料としては、基板２１の材料との線膨張率差の小さな材料が好ましく、封止部材２５と基板２１との線膨張率差に起因して発生する応力を低減する観点からは線膨張率差が等しい材料がより好ましい。
【００４２】
封止部材２５は、上述のように、接合部２４を介して素子基板２３と接合されている。これにより、封止部材２５は、素子基板２３との間に有機ＥＬ素子２２を気密封止する。ここで、接合部２４と素子基板２３との界面は、接合部２４と第１端子部Ｔ１との第１界面と、接合部２４と第２端子部Ｔ２との第２界面と、接合部２４と基板２１との第３界面とがある。
【００４３】
接合部２４の材料としては、エポキシ樹脂を用いているが、これに限らず、例えば、アクリル樹脂、シリコーン樹脂などを採用してもよい。エポキシ樹脂、アクリル樹脂およびシリコーン樹脂としては、光硬化型（紫外線硬化型）の接着剤、熱硬化型の接着剤、２液硬化型の接着剤などを用いることができる。また、また、接合部２４の材料としては、接着剤に無機フィラー（例えば、シリカ、アルミナなど）を混入させたものを用いることが好ましい。このように無機フィラーを混入させた接着剤を用いて接合部２４を形成した場合には、水分の透過率を更に低減することが可能となる。また、接合部２４の材料としては、フリット材（例えば、ガラスフリットなど）を用いてもよい。
【００４４】
発光部２は、有機ＥＬパネル２０により構成してあるが、これに限らず、複数の発光ダイオード（ＬＥＤ）を有するＬＥＤユニットにより構成してもよい。ここにおいて、ＬＥＤユニットとしては、例えば、複数のＬＥＤと、これらＬＥＤが実装された実装基板と、これらＬＥＤからの光の配光を制御する配光手段とを備えたものを用いることが好ましい。配光手段としては、例えば、レンズ、拡散板、反射板などの光学要素を適宜組み合わせて用いることができるし、これらの光学要素の１つを用いることもできる。また、ＬＥＤユニットとしては、従来例で説明したパネル光源１０３と同様の構成を採用することもできる。なお、ＬＥＤユニットは、複数のＬＥＤが直列接続された回路構成を有してもよいし、並列接続された回路構成を有してもよいし、直並列接続された回路構成を有してもよい。
【００４５】
ただし、発光部２は、ＬＥＤユニットよりも、有機ＥＬパネル２０により構成することが好ましい。これにより、発光装置は、発光部２での発熱量を低減することが可能となるので、より薄型化および軽量化を図ることが可能となり、また、発光部２自体の薄型化も図ることができ、また、指向性が弱くて拡散性が強い、いわゆる柔らかい光（軟らかい光とも呼ばれる）を得ることが可能となる。
【００４６】
太陽光発電部３は、１枚の太陽光発電パネル３０により構成してある。太陽光発電部３は、１枚の太陽光発電パネル３０に限らず、例えば、サイズの小さな複数枚の太陽光発電パネル３０を並設したものでもよい。太陽光発電パネル３０のサイズ、枚数などは、発電効率や発光装置１のデザイン性などを考慮して適宜設定することもできる。太陽光発電パネル３０は、太陽電池からなる。太陽電池としては、例えば、シリコン系の太陽電池、化合物系の太陽電池、有機系の太陽電池などを採用することができる。シリコン系の太陽電池としては、例えば、単結晶シリコン型の太陽電池、多結晶シリコン型の太陽電池、微結晶シリコン型の太陽電池、ヘテロ接合型の太陽電池などを採用することができる。また、化合物系の太陽電池としては、例えば、III−Ｖ族他接合型の太陽電池、ＣＩＧＳ系の太陽電池、ＣｄＴｅ型の太陽電池などを採用することができる。また、有機系の太陽電池としては、例えば、色素増感型の太陽電池や、有機半導体型の太陽電池などを採用することができる。
【００４７】
蓄電池４としては、例えば、リチウムイオン電池やニッケル水素電池などを用いることができる。発光装置１は、上述のように、蓄電池４が発光部２と太陽光発電部３との間に配置されていることが好ましいが、これに限らず、蓄電池４が光電変換部Ａ１の側方で外装ケース８内に配置された構成としてもよい。
【００４８】
発光制御部２９は、蓄電池４から電力供給を受けて発光部２を発光させる（点灯させる）。ここにおいて、発光制御部２９は、発光部２の駆動電流などを制御することで、発光部２から出力される光量を変化させる調光や、色温度を変化させる調色を行う機能を有することが好ましい。要するに、発光制御部２９は、発光部２の調光制御や調色制御が可能な点灯装置により構成することが好ましい。なお、発光制御部２９を構成する点灯装置は、蓄電池４の出力電圧を所望の出力電圧に変換するチョッパ回路などのＤＣ−ＤＣコンバータを備えることが好ましい。
【００４９】
充電制御部３９は、太陽光発電部３で発生した電力を蓄電池４の充電に適した電圧、電流に変換して蓄電池４の充電を行う機能を有する充電回路により構成することが好ましい。また、充電制御部３９を構成する充電回路は、蓄電池４の過充電を防止する機能も有することが好ましい。
【００５０】
傾斜スイッチ５は、例えば、姿勢検知部５１が、筐体と、この筐体内で移動可能な球体とを備え、この球体の位置に従って、ｃ接点構成の接点装置からなる接続切替部５２の状態が切り替わるものを用いることができる。なお、姿勢検知部５１は、重力方向に対する光電変換部Ａ１の姿勢（傾斜）を検知する。また、光電変換部Ａ１において太陽光発電部３が表側とは、太陽光発電部３の受光面が重力方向とは反対側を向いていることを意味する。
【００５１】
回路基板７は、発光部２と太陽光発電部３との間において発光部２から離れて配置されている。この回路基板７は、リジッドなプリント配線板により構成されている。そして、発光装置１は、回路基板７の一面側に蓄電池４、傾斜スイッチ５、発光制御部２９および充電制御部３９が実装され、他面側に太陽光発電部３が実装されている。
【００５２】
外装ケース８は、第１カバー８１と、この第１カバー８１に結合された第２カバー８２とを備えている。
【００５３】
第１カバー８１は、一面が開放された浅い矩形箱状の形状に形成されている。また、第１カバー８１の底壁８１ａには、太陽光発電部３を露出させる開口窓８１ｂが形成されている。ここで、開口窓８１ｂの開口形状は、矩形状としてあるが、太陽光発電部３を構成する太陽光発電パネル３０のサイズや枚数に基づいて、開口サイズや開口窓８１ｂの数などを適宜設定すればおい。第１カバー８１は、合成樹脂の成形品により構成されている。
【００５４】
第２カバー８２は、矩形枠状の第１枠体８３と、矩形枠状の第２枠体８４とを結合することで形成されている。第１枠体８３は、弾性を有する合成樹脂（例えば、ＰＢＴ、ＡＢＳなど）の成形品により構成されている。また、第２枠体８４は、合成樹脂の成形品により構成されている。第１枠体８１および第２枠体８４は、平面視の外形寸法を第２カバー８１の外形寸法と合わせてある。また、第１枠体８１の厚み寸法は、第２枠体８４の厚み寸法を小さく設定してある。第２枠体８４の厚み寸法は、発光部２の周部の厚み寸法よりも大きく設定してある。
【００５５】
第１枠体８３は、第２枠体８４との対向面から複数の結合脚８３ｃが突設されており、各結合脚８３ｃの先端部に係合爪８３ｄが突設されている。ここで、第１枠体８３の幅方向の中間部から突設されている。また、第２枠体８４は、第１枠体８３よりも幅狭の矩形枠状の枠本体８４ａの内側面に、第１枠体８３の係合爪８３ｄが係合する複数の係合凹部８４ｄが形成されている。また、第２枠体８４は、枠本体８４ａの内側面から内方へ内鍔片８４ｃが延設されている。
【００５６】
第１枠体８３と第２枠体８４とは、第１枠体８３の各結合脚８３ｃの各係合爪８３ｄを、第２枠体８４の内側面に形成された係合凹部８４ｄに係合させることにより、結合されている。ここで、発光装置１は、発光部２の周部が、第１枠体８３と第２枠体８４の内鍔片８４ｃとの間に挟持されている。また、発光装置１は、発光部２を構成している有機ＥＬパネル２０の第１端子部Ｔ１、第２端子部Ｔ２それぞれと電気的に接続される第１電極板９１、第２電極板９２が、第２枠体８４の内鍔片８４ｃに固定されている。第１電極板９１は、平面視Ｕ字状に形成されており、有機ＥＬパネル２０の各第１端子部Ｔ１の各々が重なり電気的に接続される複数の電極片９１ａを備えている。また、第２電極板９２は、平面視Ｕ字状に形成されており、有機ＥＬパネル２０の各第２端子部Ｔ２の各々が重なり電気的に接続される複数の電極片９２ａを備えている。ここで、第１電極板９１と第２電極板９２とは、第２枠体８４の内鍔片８４ｃの厚み方向において、互いに重ならないように形状を設計してある。第１電極板９１および第２電極板９２は、図示しないリード線などからなる電気接続部を介して回路基板７と電気的に接続されている。よって、発光部２は、回路基板７上の発光制御部３９と電気的に接続されている。
【００５７】
また、発光装置１は、回路基板７の上記一面側において回路基板７に対向配置される断熱板６（図１参照）を備えている。断熱板６は、蓄電池４と発光部２とを熱絶縁し且つ電気的に絶縁するために設けてある。したがって、断熱板６は、熱絶縁性および電気絶縁性の高い樹脂から形成することが好ましい。断熱板６は、矩形板状に形成されている。断熱板６は、第２枠体８４と一体に形成してもよい。
【００５８】
回路基板７と断熱板６との間には、両者の距離を規定する複数の柱状のスペーサ９（図示せず）が設けられていることが好ましい。スペーサ９は、熱絶縁性および電気絶縁性の高い樹脂から形成することが好ましい。
【００５９】
第１カバー８１の周壁の四隅には、第２カバー８２の四隅（ここでは、第２枠体８４の四隅）から突設された円柱状のボス部８２ｄ（図４参照）が嵌入される嵌入穴８１ｄ（図４参照）が形成されている。また、第１カバー８１には、嵌入穴８１ｄに連通するねじ挿入孔８１ｅ（図１参照）が形成されている。したがって、第１カバー８１のねじ挿入孔８１ｅに挿入したねじ（図示せず）を第２カバー８２のボス部８２ｄのねじ孔８１ｅに螺着することにより、第１カバー８１と第２カバー８２とが結合される。
【００６０】
第２カバー８１のねじ挿入孔８１ｅには、第１カバー８１と第２カバー８２とを結合した後でねじを目隠しする円板状のねじカバー８５（図１参照）を配置することが好ましい。これにより、発光装置１は、ねじが見えなくなるので、デザイン性が損なわれるのを抑制でき、外観を向上させることが可能となる。なお、ねじカバー８５は、ねじに対して両面テープで固定してあるが、これに限らず、例えば、マグネットで固定してもよい。
【００６１】
発光装置１は、姿勢検知部５１により光電変換部Ａ１において太陽光発電部３側が表側となる姿勢が検知された場合、図６（ｂ）に示すように接続切替部５２により蓄電池４が太陽光発電部３に接続され、姿勢検知部５１により光電変換部Ａ１において発光部２側が表側となる姿勢が検知された場合、図６（ａ）に示すように接続切替部５２により蓄電池４が発光部２に接続される。発光装置１は、太陽光発電部３が蓄電池４に接続される場合、太陽光発電部３が充電制御部３９を介して蓄電池４に接続され、太陽光発電部３の電力により蓄電池４が充電される。また、発光装置１は、発光部２が蓄電池４に接続される場合、発光部２が発光制御部２９を介して蓄電池４に接続され、発光制御部２９が蓄電池４からの電力を受けて発光部２を発光させる。
【００６２】
以上説明した本実施形態の発光装置１は、面状の発光部２と面状の太陽光発電部３とからなり発光部２と太陽光発電部３との互いの背面同士が対向するように配置された光電変換部Ａ１と、蓄電池４とを備えている。
【００６３】
また、発光装置１は、光電変換部Ａ１の姿勢を検知する姿勢検知部５１と、発光部２と太陽光発電部３との間に配置され蓄電池４を発光部２と太陽光発電部３との一方に択一的に接続させる接続切替部５２とを備えている。そして、発光装置１は、姿勢検知部５１により光電変換部Ａ１において太陽光発電部３側が表側となる姿勢が検知された場合には接続切替部５２により蓄電池４が太陽光発電部３に接続され、姿勢検知部５１により光電変換部Ａ１において発光部２側が表側となる姿勢が検知された場合には接続切替部５２により蓄電池４が発光部２に接続される。よって、本実施形態の発光装置１では、ユーザが発光装置１の向きを変えることによって、発光部２が発光する状態と、発光部２が消灯する状態とが自動的に切り替わり、しかも、発光部２が消灯した状態では、太陽光発電部３で発生した電力により蓄電部４を充電することが可能となる。要するに、本実施形態の発光装置１では、ユーザが発光装置１の向きを変えることによって、蓄電池４の放電状態と充電状態とを切り替えることが可能となるから、従来のような押しボタンスイッチが不要である。
【００６４】
しかして、本実施形態の発光装置１は、使い勝手が良く且つデザイン性の向上が可能となる。また、発光装置１は、昼間などの日照時に太陽光発電部３から蓄電部４に充電した電力を、夜間や暗所にて発光部２を発光させるための電力として有効に活用することが可能となるだけでなく、蓄電池４の充電中に蓄電池４の放電による蓄電ロスが生じるのを防止することができる。
【００６５】
また、本実施形態の発光装置１は、姿勢検知部５１と接続切替部５２とが、１つの傾斜スイッチ５により構成されているので、姿勢検知部５１と接続切替部５２との占有面積を小さくすることが可能となる。要するに、本実施形態の発光装置１では、姿勢検知部５１と接続切替部５２とが一体となっているので、姿勢検知部５１と接続切替部５２との占有面積を小さくすることが可能となる。なお、本実施形態では、姿勢検知部５１と接続切替部５２とを一体に備えた傾斜スイッチ５を用いているが、姿勢検知部５１の構成は傾斜センサの構成に限らず、例えば加速度センサなどでもよい。
【００６６】
本実施形態の発光装置１は、様々な利用シーンや、利用形態などの用途が考えられる。例えば、本実施形態の発光装置１の用途としては、例えば、インフラが整っていない地域（例えば、開発途上国、砂漠、山岳地帯など）の夜間の照明用途が挙げられる。
【００６７】
また、発光装置１の用途としては、海岸でのキャンプ、山でのキャップ、登山などの際の夜間の照明用途が挙げられる。このような場合は、昼間に蓄電池４が充電されるように、車のダッシュボード上に、太陽光発電部３が表側となるようにして載置しておいたり、自転車の籠の中に、太陽光発電部３が表側となるようにして載置しておいたり、籠に吊るしたり、リュックに提げたりすればよい。
【００６８】
また、発光装置１の用途としては、難民キャンプや災害被災者の非難施設などにおいての一世帯ごとでの照明用途が挙げられる。
【００６９】
また、発光装置１の用途としては、夜間の用事（例えば、トイレ、探し物）の際に使用する懐中電灯の代替用途が挙げられる。
【００７０】
また、発光装置１は、ゲームの用途にも使用することができる。例えば、発光装置１を多数用意して、個々の発光装置１をリバーシ（オセロ（登録商標））の石として使用することができる。この場合には、例えば、発光部２が表側の発光装置１を白の石とし、太陽光発電部３が表側の発光装置１を黒の石とみなせばよい。
【００７１】
また、発光装置１は、カフェやレストランでキャンドルライトのような雰囲気を演出する照明用途が挙げられる。ここで、発光装置１は、蓄電池４の容量により蓄電池４の放電時間が決まり、この放電時間により発光部２の点灯維持時間が決まるので、テーブルの予約時間の終了の知らせにも使うことができる。
【００７２】
また、発光装置１は、夜間のガーデンパーティや、バーベキューパーティなどの際の照明用途として使用することもできる。また、発光装置１は、電源インフラが整っていない工事現場や、掘削作業場や鉱山などでの暗い場所で作業する際の照明用途として使用することができる。このような照明用途で用いる場合には、予備の発光装置１を用意して置いておくことが好ましい。
【００７３】
（実施形態２）
以下では、本実施形態の発光装置について図７〜図１１に基づいて説明する。
【００７４】
本実施形態の発光装置１の基本構成は実施形態１の発光装置１と略同じであり、外装ケース１の第２カバー８２の形状などが相違する。なお、実施形態１と同様の構成要素については、同一の符号を付して説明を適宜省略する。
【００７５】
本実施形態の発光装置１における第２カバー８２は、矩形板状の形状に形成されている。また、第２カバー８２は、透光性を有する合成樹脂の成形品により構成されている。発光装置１は、第２カバー８２を半透明の合成樹脂により形成しておけば、発光部２の発光時に、より柔らかな光を得ることが可能となる。また、発光装置１は、発光部２が発光していない状態から発光部２が発光する状態に変化する際に、第２カバー８２のうち発光部２を構成する有機ＥＬパネル２０における有機ＥＬ素子２２の投影領域２ａ（図１１参照）が、突然光るので、ユーザなどに驚きを与えることも可能となる。
【００７６】
本実施形態の発光装置１では、実施形態１の発光装置１と同様、第１カバー８１のねじ挿入孔８１ｅに挿入したねじ（図示せず）を第２カバー８２のボス部８２ｄのねじ孔８１ｅに螺着することにより、第１カバー８１と第２カバー８２とが結合される。
【００７７】
また、断熱板６は、発光部２と回路基板７とを電気的に接続するリード線などの電気接続部（図示せず）を通すための開口部６１（図９参照）が形成されている。発光装置１は、発光部２を構成する有機ＥＬパネル２０の第１端子部Ｔ１および第２端子部Ｔ２に電気的に接続される配線パターンが形成されたフレキシブルプリント配線板（図示せず）を発光部２に接着したものでもよい。この場合は、このフレキシブルプリント配線板と回路基板７とをリード線を介して電気的に接続すればよい。
【００７８】
以上説明した本実施形態の発光装置１では、実施形態１と同様、使い勝手が良く且つデザイン性の向上が可能となる。
【００７９】
また、本実施形態の発光装置１では、第２カバー８２の形状を矩形板状として、第２カバー８２を半透明の合成樹脂により形成すれば、実施形態１に比べて、外観の一体感を高める可能となり、また、デザイン性を向上させることが可能となる。
【００８０】
また、本実施形態の発光装置１では、実施形態１に比べて防水設計が容易となり、防水が必要な箇所にＯリングやその他のシーリング材などを適宜箇所に設けることにより、浴槽、プール、水族館、海中などの演出の明かりを提供する用途に用いることが可能となる。
【００８１】
（実施形態３）
以下では、本実施形態の発光装置について図１２および図１３に基づいて説明する。
【００８２】
本実施形態の発光装置１の基本構成は実施形態２の発光装置１と略同じであり、別体の給電パッドよりなる給電装置９０（図１３参照）から送り出された磁気エネルギを受け取って電気エネルギに変換する受電装置１０が外装ケース８内に収納されている点などが相違する。なお、実施形態２と同様の構成要素については、同一の符号を付して説明を適宜省略する。
【００８３】
受電装置１０は、回路基板７の上記一面側に実装されている。要するに、受電装置１０は、回路基板７において太陽光発電部３が実装された上記他面側とは反対側に実装されている。
【００８４】
給電装置９０と受電装置１０との間のエネルギの伝達には、電磁誘導の原理を用いるものを採用することができる。すなわち、磁性体にコイルを巻装した一対のカプラを設け、両カプラを磁気結合が可能となるように配置し、一方のカプラに給電するとともに他方のカプラで受電する構成を採用することができる。この構成では、給電側のカプラに巻装したコイルに電流を流すことにより、エネルギを伝達することができる。図１３では、給電装置１０側のカプラのコイルを非接触送電コイル９５、受電装置１０側のカプラのコイルを非接触受電コイル４５として記載してある。
【００８５】
発光装置１は、図１３（ａ）に示すように発光部２を表側として給電装置１００上に置かれた状態において給電装置９０から受電装置１０へのエネルギ伝達が可能となり、図１３（ｂ）に示すように太陽光発電部３を表側として給電装置９０上に置かれた状態において給電装置９０から受電装置１０へのエネルギ伝達がされないように受電装置１０の大きさおよび配置を決めてある。
【００８６】
また、給電装置９０は、交流電源１００から電力が供給されて非接触送電コイル９５に流す電流を制御する送電制御部９６を備えている。また、受電装置１０は、給電装置９０から非接触受電コイル４５に伝達されたエネルギにより蓄電池４を充電可能な非接触充電制御部４６を備えている。
【００８７】
したがって、本実施形態の発光装置１では、発光部２を表側として給電装置９０上に置いておくだけで蓄電池４の充電が可能となる。
【００８８】
また、本実施形態の発光装置１は、非接触充電制御部４６が、蓄電池４の充電状況を検知し、蓄電池４の充電容量が発光部２での発光を維持できない充電容量に減る前に、非接触送電コイル９５側に信号を送り、非接触給電が開始されるようにしてもよい。これにより、発光装置１は、日照時間が少ないことによる充電容量の不足や、発光部２の発光状態を維持させる時間（点灯維持時間）を長くしたいような状況に対して対応することができる。
【００８９】
以上説明した本実施形態の発光装置１では、実施形態２と同様、使い勝手が良く且つデザイン性の向上が可能となる。
【００９０】
また、図１３に示した例では、給電装置９０が交流電源１００に接続されている（給電装置９０の電源コードの一端に設けられた電源プラグが、商用電源のような交流電源から給電されるコンセントに接続されている）が、給電装置９０の電源は、電源アダプタを通して得るようにしてもよい。
【００９１】
（実施形態４）
以下では、本実施形態の発光装置について図１４および図１５に基づいて説明する。
【００９２】
本実施形態の発光装置１の基本構成は実施形態１の発光装置１と略同じであり、姿勢検知部５１と接続切替部５２とが別体であり、回路基板７の上記一面側に実装されている点などが相違する。なお、実施形態２と同様の構成要素については、同一の符号を付して説明を適宜省略する。
【００９３】
本実施形態の発光装置１では、姿勢検知部５１の出力に基づいて接続切替部５２が切り替えられる。姿勢検知部５１としては、例えば、傾斜センサや、加速度センサなどを用いることができる。傾斜センサ、加速度センサそれぞれの検出原理は特に限定するものではない。姿勢検知部５１として、傾斜センサや加速度センサを用いる場合には、姿勢検知部５１を発光部２と太陽光発電部３との間に配置することができる。また、姿勢検知部５１としては、照度センサや赤外線センサなどを用いることもでき、これらを用いる場合には受光部の位置を適宜設定しておくことにより、光電変換部Ａ１の姿勢を検知することが可能となる。また、接続切替部５２の構成も、上述の切り替えができるものであれば、ｃ接点構成の接点装置以外の構成でもよい。
【００９４】
以上説明した本実施形態の発光装置１では、実施形態２と同様、使い勝手が良く且つデザイン性の向上が可能となる。
【符号の説明】
【００９５】
１  発光装置
２  発光部
３  太陽光発電部
４  蓄電池
５  傾斜スイッチ
２０  有機エレクトロルミネッセンスパネル
５１  姿勢検知部
５２  接続切替部
Ａ１  光電変換部
【図１】
2013115356.tif 000003
【図２】
2013115356.tif 000004
【図３】
2013115356.tif 000005
【図４】
2013115356.tif 000006
【図５】
2013115356.tif 000007
【図６】
2013115356.tif 000008
【図７】
2013115356.tif 000009
【図８】
2013115356.tif 000010
【図９】
2013115356.tif 000011
【図１０】
2013115356.tif 000012
【図１１】
2013115356.tif 000013
【図１２】
2013115356.tif 000014
【図１３】
2013115356.tif 000015
【図１４】
2013115356.tif 000016
【図１５】
2013115356.tif 000017
【図１６】
2013115356.tif 000018
【図１７】
2013115356.tif 000019
【図１８】
2013115356.tif 000020